【事件の表示】
　特許第３４０４１３１号「写真処理装置」の請求項１ないし４に係る特許に対する特許異議の申立てについて、次のとおり決定する。
【結　論】
　訂正を認める。
　特許第３４０４１３１号の請求項１、２に係る特許を取り消す。
【理　由】
（１）手続の経緯
　特許第３４０４１３１号の請求項１〜４に係る発明は、平成６年７月１２日に特許出願され、平成１５年２月２８日にその特許の設定登録がなされ、その後、特許異議申立人藤本佐恵子により特許異議の申立がなされ、取消理由通知がなされ、その指定期間内である平成１６年１０月２５日に訂正請求がなされたものである。
　
（２）訂正の適否についての判断
　（ア）訂正の内容
訂正事項ａ
　訂正前の特許請求の範囲の請求項１〜４を、請求項１及び２として、次のように訂正する。
「【請求項１】　幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、
　前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、
　前記フィルム現像工程で処理されて送り込まれる前記写真フィルムを前記マスク部の写真フィルムの幅寸法に応じたマスクの所定の位置に搬送する案内搬送手段と、
　前記マスク部の所定の位置に配置された前記幅寸法の異なる写真フィルムの画像を前記印画紙へ同じ大きさで露光可能な光学手段と、
　露光後に前記幅寸法の異なる写真フィルムをフィルムサイズに応じた一画像コマ分送る搬送手段と、
　を画像露光工程に含み、
　前記案内搬送手段が前記写真フィルムの幅方向の中心を一致させて写真フィルムを搬送するとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率の切り換えを行うことを特徴とする写真処理装置。
　
【請求項２】  幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、
　前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、
　前記フィルム現像工程で処理されて送り込まれる前記写真フィルムを前記マスク部の写真フィルムの幅寸法に応じたマスクの所定の位置に搬送する案内搬送手段と、
　前記マスク部の所定の位置に配置された前記幅寸法の異なる写真フィルムの画像を前記印画紙へ同じ大きさで露光可能な光学手段と、
　を画像露光工程に含み、
　前記案内手段が前記写真フィルムの幅方向の一端を一致させて搬送させるとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率及び光軸の切り換えを行うことを特徴とする写真処理装置。」
　
訂正事項ｂ
　訂正前の明細書の段落【０００８】の記載を、削除する。
　
訂正事項ｃ
　訂正前の明細書の段落【０００９】を、段落【０００８】として、次のように訂正する。
「【０００８】
　また、前記案内搬送手段が前記写真フィルムの幅方向の中心を一致させて写真フィルムを搬送するとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率の切り換えを行うことを特徴とする。」
　
訂正事項ｄ
　訂正前の明細書の段落【００１０】を、段落【０００９】として、次のように訂正する。
「【０００９】
　請求項２に係る写真処理装置は、幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、前記フィルム現像工程で処理されて送り込まれる前記写真フィルムを前記マスク部の写真フィルムの幅寸法に応じたマスクの所定の位置に搬送する案内搬送手段と、前記マスク部の所定の位置に配置された前記幅寸法の異なる写真フィルムの画像を前記印画紙へ同じ大きさで露光可能な光学手段と、を画像露光工程に含み、前記案内手段が前記写真フィルムの幅方向の一端を一致させて搬送させるとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率及び光軸の切り換えを行うことを特徴とする」
　
訂正事項ｅ
　訂正前の明細書の段落【００１３】の記載を、削除する。
　
訂正事項ｆ
　訂正前の明細書の段落【００１４】を、段落【００１２】として、次のように訂正する。
「【００１２】
　また、案内搬送手段が異なる幅寸法の写真フィルムを幅方向の中心位置である画像コマの中心位置を一致させて搬送する。この案内搬送手段による写真フィルムの搬送路上に所定のマスクを移動させて配置する。これと共に光学手段の露光倍率を変更することにより、幅寸法が異なり画像コマの大きさが異なる写真フィルムのそれぞれの画像を同じ大きさで印画紙へ焼付けることができる。」
　
訂正事項ｇ
　訂正前の明細書の段落【００１５】を、段落【００１３】として、次のように訂正する。
「【００１３】
　請求項２に記載の写真処理装置では、案内搬送手段が写真フィルムの幅方向の一端を一致させて搬送する。すなわち、幅寸法の異なる写真フィルムをエッジ（幅方向の一端）を基準として搬送する案内搬送手段を設けている。この案内搬送手段による写真フィルムの搬送路上にマスク部を移動させて写真フィルムの幅寸法に応じたマスクを配置するときには、写真フィルムの幅寸法に応じて画像コマの中心位置がずれるため、光学手段の倍率変更と共に、画像コマの中心位置のずれに合わせて光学手段の光軸をずらす。これによって、同じ大きさの画像を印画紙へ焼付けることができる。」
　
訂正事項ｈ
　訂正前の明細書の段落番号【０００９】〜【００１２】を、順次、段落番号【０００８】〜【００１１】に訂正する。
　
訂正事項ｉ
　訂正前の明細書の段落番号【００１４】〜【００７１】を、順次、段落番号【００１２】〜【００６９】に訂正する。
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂ〜ｉに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は、特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　特許異議申立人藤本佐恵子は、証拠として甲第２号証〔特願平５−２２３４８３号（特開平７−７７７４４号公報）〕、甲第３号証（特開昭６３−６０４４３号公報）、甲第４号証（特開昭６１−２６２７３５号公報）、甲第５号証（特開平２−２９７２８号公報）を提出し、訂正前の本件請求項１及び２に係る発明の特許は、その出願日前の出願であって、その出願後に出願公開された甲第２号証の願書に最初に添付した明細書又は図面（以下「先願明細書」という。）に記載された発明と同一であると認められ、しかも、訂正前の本件請求項１及び２に係る発明の発明者が前記先願明細書に記載された発明の発明者と同一であるとも、本件出願の時において、その出願人が前記他の出願の出願人と同一であるとも認められないので、訂正前の本件請求項１及び２に係る発明の特許は、特許法第２９条の２の規定に違反してされたものであり、訂正前の本件請求項１〜４に係る発明の特許は、甲第３〜５号証記載の発明に基づいて当業者が容易に発明することができたものであるので、特許法第２９条第２項の規定に違反してなされたものである。したがって、訂正前の本件請求項１〜４に係る発明の特許を取り消すべき旨主張している。
　
　（イ）本件請求項１及び２に係る発明
　本件請求項１及び２に係る発明は、上記訂正に係る訂正明細書の特許請求の範囲の請求項１及び２に記載された事項により特定される次のとおりのものである。
「【請求項１】　幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、
　前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、
　前記フィルム現像工程で処理されて送り込まれる前記写真フィルムを前記マスク部の写真フィルムの幅寸法に応じたマスクの所定の位置に搬送する案内搬送手段と、
　前記マスク部の所定の位置に配置された前記幅寸法の異なる写真フィルムの画像を前記印画紙へ同じ大きさで露光可能な光学手段と、
　露光後に前記幅寸法の異なる写真フィルムをフィルムサイズに応じた一画像コマ分送る搬送手段と、
　を画像露光工程に含み、
　前記案内搬送手段が前記写真フィルムの幅方向の中心を一致させて写真フィルムを搬送するとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率の切り換えを行うことを特徴とする写真処理装置。
　
【請求項２】  幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、
　前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、
　前記フィルム現像工程で処理されて送り込まれる前記写真フィルムを前記マスク部の写真フィルムの幅寸法に応じたマスクの所定の位置に搬送する案内搬送手段と、
　前記マスク部の所定の位置に配置された前記幅寸法の異なる写真フィルムの画像を前記印画紙へ同じ大きさで露光可能な光学手段と、
　を画像露光工程に含み、
　前記案内手段が前記写真フィルムの幅方向の一端を一致させて搬送させるとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率及び光軸の切り換えを行うことを特徴とする写真処理装置。」
　
　（ウ）引用刊行物記載の発明
　当審が平成１６年８月１６日付で通知した取消理由において引用した刊行物１〔甲第３号証（特開昭６３−６０４４３号公報）〕には、次のような記載がある。
（あ）「一般に写真の形成においては、撮影済のフィルムを現像してネガフィルムまたはポジフィルムを得た後に、このネガフィルムまたはポジフィルム（以下「原画フィルム」ともいう。）の原画像を写真感光材料に焼付けて焼付け画像を形成することが必要とされる。」（第１頁右欄第７〜１２行）
　
（い）「〔発明が解決しようとする問題点〕
　しかしながら、原画フィルムの１駒のサイズとしては、一般に、「１１０ｍｍ」、「１２６ｍｍ」、「１３５ｍｍ」、「フルサイズ」、「ハーフサイズ」等種々のサイズのものがあり、従来においてはそれぞれのサイズに専用の原画キャリアを複数台用意しなければ、注文者の要求に応じた焼付け処理を行うことができず、その結果経済的な焼付け処理を行うことが困難であった。」（第１頁右欄第１７行〜第２頁左上欄第５行）
　
（う）「第１図において、１０は焼付け用光源、１１は防熱フィルター（赤外カットフィルター）、１２は調光フィルター、１３は平面反射鏡、１４はバンドカットフィルター、１５は光拡散板、１６は光拡散混合部材、１７は拡大倍率変更可能な投影レンズ、１８は印画紙台、１９は印画紙、２０は原画キャリア、２１は原画フィルムである。」（第２頁右下欄第１〜７行）
　
（え）「キャリア基板３０には、中央部および隅部にそれぞれサイズの異なる露光窓３１Ａ，３１Ｂ，３１Ｃ，３１Ｄが設けられている。・・・これらの露光窓３１Ａ，３１Ｂ，３１Ｃ，３１Ｄは、それぞれ原画フィルムのサイズが例えば「フルサイズ」、「１１０ｍｍ」、「１２６ｍｍ」、「ハーフサイズ」に対応する大きさを有するものである。
　これらの露光窓３１Ａ，３１Ｂ，３１Ｃ，３１Ｄの周囲には、それぞれ対応するサイズの原画フィルムがガイドされながら通過する通路を構成する凹部３２Ａ，３２Ｂ，３２Ｃ，３２Ｄが設けられている。これらの凹部３２Ａ，３２Ｂ，３２Ｃ，３２Ｄの幅は、対応する原画フィルムの幅に対応する大きさである。従って、これらの凹部内に対応するサイズの原画フィルムが位置されて移送されることにより、各原画フィルムは位置ズレを伴わずに規定された通路を安定に通過するようになる。
　このキャリア基板３０は、下方に固定配置された支持板６０上に載置されて当該支持板６０に対して水平方向に移動可能に保持され、これにより露光窓３１Ａ，３１Ｂ，３１Ｃ，３１Ｄ・・・のそれぞれが焼付け用光源１０に係る光路中に位置できるようになっている。」（第２頁右下欄第１４行〜第３頁左上欄第１６行）
　
（お）「サイズの異なる各原画フィルムは、それぞれ凹部３２Ａ，３２Ｂ，３２Ｃ，３２Ｄ内を矢印Ａ，Ｂ，Ｃ，Ｄで示す方向にステップ的に移送される構成である。」（第３頁右上欄第７〜１０行）
　
（か）「また露光窓の配設位置も特に限定されず、例えば３つ以上の露光窓を１列に並ぶように配置して、これらの露光窓を通過する原画フィルムの進行方向をすべて平行になるように構成してもよい。」（第４頁右下欄第１〜５行）
　
　原画フィルムに記録されている画像に応じて、印画紙を焼付けする画像焼付け装置において、原画フィルムを移送するには、当然に、原画フィルムの移送手段を有するものであるので、刊行物１記載の発明は、当然に、原画フィルムの移送手段を有している。
　前記記載事項および図面からみて、刊行物１には「サイズの異なる撮影済のフィルムを現像し、光源から照射する光によって現像された原画フィルムに記録されている画像に応じて印画紙を焼付けする画像焼付け工程を備えた画像焼付け装置であって、
　サイズの異なる原画フィルムのそれぞれに対して設けられ原画フィルムを所定の位置に配置することにより原画フィルムの画像コマを焼付け可能に覆う露光窓が配置されたキャリア基板と、
　フィルム現像されて送り込まれる原画フィルムをキャリア基板の原画フィルムのサイズに応じた露光窓の所定の位置に移送する移送手段と、
　キャリア基板の所定の位置に配置されたサイズの異なる原画フィルムの画像を印画紙へ焼付け可能な光学手段と、
　サイズの異なる原画フィルムをステップ的に移送する移送手段と、
　を画像焼付け工程に含み、
　移送手段が原画フィルムを移送するとき、キャリア基板を移送手段に対して移動して所定の露光窓を移送手段による原画フィルムの移送路上に配置することを特徴とする画像焼付け装置。」が記載されている。
　
　同刊行物２〔甲第５号証（特開平２−２９７２８号公報）〕には、次のような記載がある。
「フィルムの一側縁を案内するフィルムキャリアの一方の幅ガイドを固定し、他方の幅ガイドをフィルムの幅サイズに応じて平行移動自在とし、このフィルムキャリアにセットされるフィルムの幅サイズに対応して焼付倍率の異なる複数個の焼付レンズを設け、フィルムの幅サイズに対応した焼付レンズを選択すると共に所定のアオリ位置にセットして、フィルムの幅サイズに関わりなく感光材料の同一位置にフィルムの写真画像をプリントすることを特徴とする写真焼付装置。」（第１頁左欄、特許請求の範囲）
　
「ネガフィルム３３のサイズ情報がコントローラ６０に入力されると、フィルムキャリア３０の可動幅ガイド３６の移動に対応して、モータ５６が回動し、これによりネガフィルム３３のサイズに対応した焼付レンズが所定のアオリ位置にセットされる。
　前記焼付レンズ５０〜５２は、フィルムキャリア３０にセットされる例えば１３５タイプ、１１０タイプ、１２０タイプのネガフィルム３３の駒の画像を、露光位置にセットされた印画紙１０に、同一位置及び同一大きさになるように倍率を変えて結像させるものであり、所定の倍率のレンズ群から構成されている。これら焼付レンズ５０〜５２は具体的には、レンズ保持部材５３Ａにより焼付光路内に以下のようにセットされる。１３５タイプのフィルムがフィルムキャリア３０にセットされた場合の焼付レンズ５０の位置を基準にして説明すると、１１０タイプのネガフィルムがフィルムキャリア３０にセットされる場合には、１１０タイプ用の焼付レンズ５１は、１３５タイプの焼付レンズ５０の位置を基準にして、下方にＨ１、フィルムの幅方向に固定幅ガイド３５側にＥ１だけ変位した位置とされる。また、１２０タイプのフィルムがフィルムキャリア３０にセットされる場合には、１２０タイプ用の焼付レンズ５２は、１３５タイプの焼付レンズ５０の位置を基準にして、上方にＨ２、フィルムの幅方向に固定幅ガイド３５とは反対側にＥ２だけ変位した位置とされる。」（第３頁右上欄第２０行〜同頁右下欄第８行）
　
　同刊行物３〔甲第４号証（特開昭６１−２６２７３５号公報）〕には、次のような記載がある。
「写真焼付の対象である原画フィルムの最大サイズに応じた開口部を有し、前記原画フィルムの搬送路を形成するように配置された全サイズ共通のフィルムキャリアと、このフィルムキャリアに対する前記原画フィルムの搬送をガイドすると共に、前記原画フィルムの搬送方向の中心を常に一致させる位置調整機構と、前記フィルムキャリアの開口部に位置された前記原画フィルムの画像情報を検出するイメージセンサとを具備したことを特徴とする写真焼付装置。」（第１頁左欄、特許請求の範囲）
　
「位置調整機構３０は・・・第２図（Ａ），（Ｂ）に示すように・・・両側に突設されたガイド部３３及び３４を有し、ガイド部３３及び３４の間の凹部でネガフィルム１を搬送するようになっている。」（第３頁右下欄第１０〜１５行）
　
　（エ）対比・判断
（本件請求項１に係る発明について）
　刊行物１記載の発明の「サイズ」、「撮影済のフィルム」、「原画フィルム」、「焼付け」、「露光窓」、「キャリア基板」、及び「移送」は、本件請求項１に係る発明の「幅寸法」、「露光済の写真フィルム」、「写真フィルム」、「露光」、「マスク」、「マスク部」、及び「搬送」にそれぞれ相当するものであるので、両者は「幅寸法の異なる露光済の写真フィルムを現像し、光源から照射する光によって現像された写真フィルムに記録されている画像に応じて印画紙を露光する画像露光工程を備えた画像焼付け装置であって、
　幅寸法の異なる写真フィルムのそれぞれに対して設けられ写真フィルムを所定の位置に配置することにより写真フィルムの画像コマを露光可能に覆うマスクが配置されたマスク部と、
　フィルム現像されて送り込まれる写真フィルムをマスク部の写真フィルムの幅寸法に応じたマスクの所定の位置に搬送する搬送手段と、
　マスク部の所定の位置に配置された幅寸法の異なる写真フィルムの画像を印画紙へ露光可能な光学手段と、
　幅寸法の異なる写真フィルムを搬送する搬送手段と、
　を画像露光工程に含み、
　搬送手段が写真フィルムを搬送するとき、マスク部を搬送手段に対して移動して所定のマスクを搬送手段による写真フィルムの搬送路上に配置することを特徴とする画像焼付け装置。」という点で一致し、次の点で相違する。
　
相違点（Ａ）
　本件請求項１に係る発明は、露光済の写真フィルムを搬送しながら現像処理するフィルム現像工程と、光源から照射する光によって現像処理された写真フィルムに記録されている画像に応じて印画紙を露光する画像露光工程と、を備えた写真処理装置であるのに対して、刊行物１記載の発明は、前記「露光済の写真フィルムを搬送しながら現像処理するフィルム現像工程と、光源から照射する光によって現像処理された写真フィルムに記録されている画像に応じて印画紙を露光する画像露光工程と、を備えた写真処理装置」の記載がない点。
　
相違点（Ｂ）
　幅寸法の異なる写真フィルムの画像を印画紙へ露光可能である光学手段が、本件請求項１に係る発明は、印画紙へ同じ大きさで露光可能であるのに対して、刊行物１記載の発明は、「印画紙へ同じ大きさで露光可能である」点の記載がない点。
　
相違点（Ｃ）
　搬送手段が幅寸法の異なる写真フィルムを送るのに、本件請求項１に係る発明は、露光後に、写真フィルムをフィルムサイズに応じた一画像コマ分送るのに対して、刊行物１記載の発明は、写真フィルムをステップ的に搬送する点。
　
相違点（Ｄ）
　本件請求項１に係る発明は、案内〔第１ガイド部（７８），第２ガイド部（８０）〕が、写真フィルムの幅方向の中心を一致させるのに対して、刊行物１記載の発明は、案内〔凹部（３２Ａ，３２Ｂ等）〕を有するが、その点の記載がない点。
　
相違点（Ｅ）
　本件請求項１に係る発明は、マスク部を案内搬送手段に対して移動するのに対して、刊行物１記載の発明は、マスク部を搬送手段に対して移動する点。
　
相違点（Ｆ）
　マスク部を搬送手段に対して移動して所定のマスクを搬送手段による写真フィルムの搬送路上に配置するものにおいて、本件請求項１に係る発明は、マスクが写真フィルムの搬送幅方向に沿って配置されており、かつ、マスク部を写真フィルムの搬送幅方向に沿って移動するのに対して、刊行物１記載の発明は、マスクが写真フィルムの搬送幅方向に沿っては配置されておらず、かつ、マスク部を写真フィルムの搬送幅方向に沿って移動するものではない点。
　
相違点（Ｇ）
　本件請求項１に係る発明は、搬送路上に配置されたマスクに応じて光学手段の露光倍率の切り換えを行うのに対して、刊行物１記載の発明は、光学手段が露光倍率の切り換えを行うことはできるが、前記「搬送路上に配置されたマスクに応じて」の記載がない点。
　
（本件請求項１に係る発明に対する判断）
相違点（Ａ）について
　露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置は、周知技術（例えば、特開平６−１４８７５６号公報、特開平５−２８９１８６号公報）であり、その周知技術を刊行物１記載の画像焼付け装置に採用して、相違点（Ａ）における本件請求項１に係る発明のような構成にしたことに、格別の困難性は認められない。
　
相違点（Ｂ）について
　刊行物２記載の発明の「フィルムの幅サイズ」、及び「ネガフィルム」は、本件請求項１に係る発明の「幅寸法」、及び「写真フィルム」にそれぞれ相当するものであるので、刊行物２には、「幅寸法の異なる写真フィルムの画像を印画紙へ同じ大きさで露光可能である光学手段」が記載されており、この構成を刊行物１記載の画像焼付け装置に採用して、相違点（Ｂ）における本件請求項１に係る発明のような構成にしたことは、格別なものとはいえない。
　
相違点（Ｃ）について
　画像露光工程において、露光後に、写真フィルムをフィルムサイズに応じた一画像コマ分送ることは、周知・自明の構成であり、前記周知・自明の構成を刊行物１記載の画像焼付け装置に採用して、相違点（Ｃ）における本件請求項１に係る発明のような構成にしたことは、格別なものとはいえない。
　
相違点（Ｄ）について
　刊行物３記載の発明の「位置調整機構〔ガイド部（３３，３４）〕」、及び「原画フィルムの搬送方向の中心を一致させる」は、本件請求項１に係る発明の「案内」、及び「写真フィルムの幅方向の中心を一致させる」にそれぞれ相当するものであるので、刊行物３には、「案内が、写真フィルムの幅方向の中心を一致させる」ことが記載されており、この構成を刊行物１記載の画像焼付け装置に採用して、相違点（Ｄ）における本件請求項１に係る発明のような構成にしたことは、格別なものとはいえない。
　
相違点（Ｅ）について
　本件請求項１に係る発明は、案内〔第１ガイド部（７８），第２ガイド部（８０）〕が、搬送手段の側に設けられているのに対して、刊行物１記載の発明は、案内〔凹部（３２Ａ，３２Ｂ等）〕が、マスク部の側に設けられていることに伴う構成の差異であって、相違点（Ｅ）における本件請求項１に係る発明の構成は、格別なものとはいえない。
　
相違点（Ｆ）について
　刊行物１記載のマスク部に設けられたマスクの内「露光窓３１Ａ、及び露光窓３１Ｂ」について注目すると、マスクが写真フィルムの搬送幅方向に対して略４５゜の角度で配置されており、マスク部を写真フィルムの搬送幅方向に対して略４５゜の角度で移動することが記載されている。
　上記「記載事項（か）」において、「露光窓の配設位置も特に限定されず、例えば３つ以上の露光窓を１列に並ぶように配置して、これらの露光窓を通過する原画フィルムの進行方向をすべて平行になるように構成してもよい。」という記載もあるように、前記マスク（露光窓３１Ａ、及び露光窓３１Ｂ）が写真フィルムの搬送幅方向に対して対して略４５゜の角度で配置されることに替えて、マスク（露光窓３１Ａ、及び露光窓３１Ｂ）が写真フィルムの搬送幅方向に沿って、１列に並ぶように配置し、それにともなって、マスク部を写真フィルムの搬送幅方向に沿って移動するようにして、相違点（Ｆ）における本件請求項１に係る発明のような構成にしたことに、格別の困難性は認められない。
　
相違点（Ｇ）について
　本件請求項１に係る発明において、マスクの幅寸法と、写真フィルムの幅寸法とは、対応するものであるので、「搬送路上に配置されたマスクに応じて光学手段の露光倍率の切り換えを行う」とは、「搬送路上に配置された写真フィルムに応じて光学手段の露光倍率の切り換えを行う」と同じことを意味するものである。
　刊行物２記載の発明の「フィルムキャリアにセットされる」、「フィルムの幅サイズに対応して」、及び「フィルムの幅サイズに対応した焼付レンズを選択する」は、本件請求項１に係る発明の「搬送路上に配置された」、「写真フィルムに応じて」、及び「光学手段の露光倍率の切り換えを行う」にそれぞれ相当するものであるので、刊行物２には「搬送路上に配置された写真フィルムに応じて光学手段の露光倍率の切り換えを行う」ことが記載されている。
　前記したように、「搬送路上に配置されたマスクに応じて光学手段の露光倍率の切り換えを行う」とは、「搬送路上に配置された写真フィルムに応じて光学手段の露光倍率の切り換えを行う」と同じことを意味するものであるので、前記刊行物２記載の構成を、刊行物１記載の画像焼付け装置に採用して、その場合に、写真フィルムではなく、マスクに応じて露光倍率の切り換えを行うようにして、相違点（Ｇ）における本件請求項１に係る発明のような構成にしたことに、格別の困難性は認められない。
　
　そして、前記相違点（Ａ）〜（Ｇ）における本件請求項１に係る発明の構成による効果は、刊行物１〜３記載の発明と上記周知技術および周知・自明の構成から予測される範囲のものである。
　
（本件請求項２に係る発明について）
　刊行物１記載の発明の「サイズ」、「撮影済のフィルム」、「原画フィルム」、「焼付け」、「露光窓」、「キャリア基板」、及び「移送」は、本件請求項２に係る発明の「幅寸法」、「露光済の写真フィルム」、「写真フィルム」、「露光」、「マスク」、「マスク部」、及び「搬送」にそれぞれ相当するものであるので、両者は「幅寸法の異なる露光済の写真フィルムを現像し、光源から照射する光によって現像された写真フィルムに記録されている画像に応じて印画紙を露光する画像露光工程を備えた画像焼付け装置であって、
　幅寸法の異なる写真フィルムのそれぞれに対して設けられ写真フィルムを所定の位置に配置することにより写真フィルムの画像コマを露光可能に覆うマスクが配置されたマスク部と、
　フィルム現像されて送り込まれる写真フィルムをマスク部の写真フィルムの幅寸法に応じたマスクの所定の位置に搬送する搬送手段と、
　マスク部の所定の位置に配置された幅寸法の異なる写真フィルムの画像を印画紙へ露光可能な光学手段と、
　を画像露光工程に含み、
　マスク部を搬送手段に対して移動して所定のマスクを搬送手段による写真フィルムの搬送路上に配置することを特徴とする画像焼付け装置。」という点で一致し、前記「相違点（Ａ）、（Ｂ）、及び（Ｆ）」以外に、次の点で相違する。
　
相違点（Ｈ）
　本件請求項２に係る発明は、案内手段〔固定ガイド（１３２），可動ガイド（１３４）〕が写真フィルムの幅方向の一端を一致させて搬送させるのに対して、刊行物１記載の発明は、案内手段〔凹部（３２Ａ，３２Ｂ等）〕を有するが、その点の記載がない点。
　
相違点（Ｅ’）
　本件請求項２に係る発明は、マスク部を案内搬送手段に対して移動するのに対して、刊行物１記載の発明は、マスク部を搬送手段に対して移動する点。
相違点（Ｉ）
　本件請求項２に係る発明は、搬送路上に配置されたマスクに応じて光学手段の露光倍率及び光軸の切り換えを行うのに対して、刊行物１記載の発明は、光学手段が露光倍率の切り換えを行うことはできるが、前記「搬送路上に配置されたマスクに応じて」の記載がない点。
　
（本件請求項２に係る発明に対する判断）
相違点（Ｈ）について
　刊行物２記載の発明の「一方の幅ガイド（固定幅ガイド３５），他方の幅ガイド（可動幅ガイド３６）」、「フィルム（ネガフィルム）」、及び「フィルムの一側縁を案内する」は、本件請求項２に係る発明の「案内手段」、「写真フィルム」、及び「幅方向の一端を一致させて搬送させる」にそれぞれ相当するものであるので、刊行物２には、「案内手段が写真フィルムの幅方向の一端を一致させて搬送させる」ことが記載されており、この構成を刊行物１記載の画像焼付け装置に採用して、相違点（Ｈ）における本件請求項２に係る発明のような構成にしたことは、格別なものとはいえない。
　
相違点（Ｅ’）について
　本件請求項２に係る発明は、案内〔固定ガイド（１３２），可動ガイド（１３４）〕が、搬送手段の側に設けられているのに対して、刊行物１記載の発明は、案内〔凹部（３２Ａ，３２Ｂ等）〕が、マスク部の側に設けられていることに伴う構成の差異であって、相違点（Ｅ’）における本件請求項２に係る発明の構成は、格別なものとはいえない。
　
相違点（Ｉ）について
　本件請求項２に係る発明において、マスクの幅寸法と、写真フィルムの幅寸法とは、対応するものであるので、「搬送路上に配置されたマスクに応じて光学手段の露光倍率及び光軸の切り換えを行う」とは、「搬送路上に配置された写真フィルムに応じて光学手段の露光倍率及び光軸の切り換えを行う」と同じことを意味するものである。
　刊行物２記載の発明の「フィルムキャリアにセットされる」、「フィルムの幅サイズに対応して」、及び「フィルムの幅サイズに対応した焼付レンズを選択すると共に所定のアオリ位置にセット」は、本件請求項２に係る発明の「搬送路上に配置された」、「写真フィルムに応じて」、及び「光学手段の露光倍率及び光軸の切り換えを行う」にそれぞれ相当するものであるので、刊行物２には「搬送路上に配置された写真フィルムに応じて光学手段の露光倍率及び光軸の切り換えを行う」ことが記載されている。
　前記したように、「搬送路上に配置されたマスクに応じて光学手段の露光倍率及び光軸の切り換えを行う」とは、「搬送路上に配置された写真フィルムに応じて光学手段の露光倍率及び光軸の切り換えを行う」と同じことを意味するものであるので、前記刊行物２記載の構成を、刊行物１記載の画像焼付け装置に採用して、その場合に、写真フィルムではなく、マスクに応じて露光倍率及び光軸の切り換えを行うようにして、相違点（Ｉ）における本件請求項２に係る発明のような構成にしたことに、格別の困難性は認められない。
　
　そして、前記相違点（Ａ）、（Ｂ）、（Ｆ）、（Ｈ）、（Ｅ’）、及び（Ｉ）における本件請求項２に係る発明の構成による効果は、刊行物１〜３記載の発明と上記周知技術および周知・自明の構成から予測される範囲のものである。
　
　（オ）むすび
　以上のとおり、本件請求項１及び２に係る発明は、刊行物１〜３記載の発明と上記周知技術および周知・自明の構成に基づいて、当業者が容易に発明をすることができたものであるから、本件請求項１及び２に係る発明の特許は、特許法第２９条第２項の規定により特許を受けることができない。
　したがって、本件請求項１及び２に係る発明の特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年６月２２日（２００５．６．２２）
【訂正の要旨】
審決（決定）の【理由】欄参照。
（５４）【発明の名称】
写真処理装置
（５７）【特許請求の範囲】
　【請求項１】幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、
　前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、
　前記フィルム現像工程で処理されて送り込まれる前記写真フィルムを前記マスク部の写真フィルムの幅寸法に応じたマスクの所定の位置に搬送する案内搬送手段と、
　前記マスク部の所定の位置に配置された前記幅寸法の異なる写真フィルムの画像を前記印画紙へ同じ大きさで露光可能な光学手段と、
　露光後に前記幅寸法の異なる写真フィルムをフィルムサイズに応じた一画像コマ分送る搬送手段と、
　を画像露光工程に含み、
　前記案内搬送手段が前記写真フィルムの幅方向の中心を一致させて写真フィルムを搬送するとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率の切り換えを行うことを特徴とする写真処理装置。
　【請求項２】幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、
　前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、
　前記フィルム現像工程で処理されて送り込まれる前記写真フィルムを前記マスク部の写真フィルムの幅寸法に応じたマスクの所定の位置に搬送する案内搬送手段と、
　前記マスク部の所定の位置に配置された前記幅寸法の異なる写真フィルムの画像を前記印画紙へ同じ大きさで露光可能な光学手段と、
　を画像露光工程に含み、
　前記案内手段が前記写真フィルムの幅方向の一端を一致させて搬送させるとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率及び光軸の切り換えを行うことを特徴とする写真処理装置。
【発明の詳細な説明】
　【０００１】
　【産業上の利用分野】
　本発明は、露光済の写真感光材料を現像処理する工程と、現像処理の終了した写真感光材料に記録されている画像を印画紙等の感光材料へ露光するための工程とを備えた写真処理装置に関する。
　【０００２】
　【従来の技術】
　写真感光材料（以下「ネガフィルム」と言う）に撮影されて記録された画像は、ネガフィルムを現像液等の処理液に浸漬されて処理されることにより顕像化される。このネガフィルム上で顕像化された画像は、露光装置によって印画紙に焼付けられる。この画像が焼付けられた印画紙を現像処理することにより、写真プリントとなる。このような撮影済のネガフィルムの現像処理から写真プリントを仕上げるまでの処理を１台で行う写真処理装置がある。
　【０００３】
　一般に用いられているネガフィルムは幅寸法が３５ｍｍのサイズであり、このネガフィルムを処理する写真処理装置では、３５ｍｍ幅のネガフィルムを搬送して処理するようにしている。また、写真処理装置内の露光装置では、この３５ｍｍ幅のネガフィルムに合わせて搬送路及び露光用の光学系が設定されており、ネガフィルムに記録されている画像コマの中心位置と光学系の光軸を一致させ、画像コマの周囲を画像コマの大きさに合わせたマスクによって覆って画像露光を行うようになっている。また、このような露光用の光学系では、必要に応じて露光倍率の変更が可能となっているものがある。
　【０００４】
　ところで、ネガフィルムには、１１０と呼ばれる狭幅なものなど、一般的な３５ｍｍ幅のネガフィルムと幅寸法が異なるものがある。このような幅寸法の異なるネガフィルムは、画像コマの中心が幅方向の中心線上にあるが、画像コマの大きさが異なっている。
　【０００５】
　【発明が解決しようとする課題】
　しかしながら、写真処理装置においては、特に露光装置においてネガフィルムを正確に搬送して各画像コマを所定の位置に配置する必要があるため、一般的な３５ｍｍ幅のネガフィルムに合わせて搬送路や露光用光学系が設定されている。このため、画像コマの大きさの異なるネガフィルム、すなわち、幅寸法の異なるネガフィルムの現像から印画紙への露光及び露光した印画紙の現像処理までを、１台の写真処理装置で行うことは実質的に困難となっている。
　【０００６】
　本発明は上記事実を考慮してなされたものであり、異なる幅寸法の写真フィルムを同じ大きさで印画紙等へ露光可能な画像露光工程を備えた写真処理装置を提供することを目的とする。
　【０００７】
　【課題を解決するための手段】
　本発明の請求項１に係る写真処理装置は、幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、前記フィルム現像工程で処理されて送り込まれる前記写真フィルムを前記マスク部の写真フィルムの幅寸法に応じたマスクの所定の位置に搬送する案内搬送手段と、前記マスク部の所定の位置に配置された前記幅寸法の異なる写真フィルムの画像を前記印画紙へ同じ大きさで露光可能な光学手段と、露光後に前記幅寸法の異なる写真フィルムをフィルムサイズに応じた一画像コマ分送る搬送手段と、を画像露光工程に含むことを特徴とする。
　【０００８】
　また、前記案内搬送手段が前記写真フィルムの幅方向の中心を一致させて写真フィルムを搬送するとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率の切り換えを行うことを特徴とする。
　【０００９】
　請求項２に係る写真処理装置は、幅寸法の異なる露光済の写真フィルムを搬送しながら現像処理するフィルム現像工程と、光源から照射する光によって前記現像処理された写真フィルムに記録されている画像に応じて印画紙を露光する画像露光工程と、を備えた写真処理装置であって、前記幅寸法の異なる写真フィルムのそれぞれに対して設けられ写真フィルムを所定の位置に配置することにより写真フィルムの画像コマを露光可能に覆うマスクが写真フィルムの搬送幅方向に沿って配置されたマスク部と、前記フィルム現像工程で処理されて送り込まれる前記写真フィルムを前記マスク部の写真フィルムの幅寸法に応じたマスクの所定の位置に搬送する案内搬送手段と、前記マスク部の所定の位置に配置された前記幅寸法の異なる写真フィルムの画像を前記印画紙へ同じ大きさで露光可能な光学手段と、を画像露光工程に含み、前記案内手段が前記写真フィルムの幅方向の一端を一致させて搬送させるとき、前記マスク部を前記写真フィルムの搬送幅方向に沿って前記案内搬送手段に対して移動して所定のマスクを前記案内搬送手段による写真フィルムの搬送路上に配置すると共に、前記搬送路上に配置されたマスクに応じて前記光学手段の露光倍率及び光軸の切り換えを行うことを特徴とする
　【００１０】
　【作用】
　本発明の請求項１に記載の写真処理装置は、異なる幅寸法の写真フィルムに記録された画像を印画紙へ露光するときに、写真フィルムを保持するフィルムキャリアに設けているマスク部に処理する写真フィルムの幅寸法（画像コマのサイズ）に応じたマスクを設けている。また、案内搬送手段は、異なる幅寸法の写真フィルムをそれぞれ幅寸法に応じた所定のマスクへ搬送し、光学手段は、いずれのマスクに配置された異なる大きさの画像を印画紙に同じ大きさで露光することができる。
　【００１１】
　これによって、フィルム現像工程で処理された異なる幅寸法の写真フィルムに記録されている画像を、画像の大きさに拘らず同じ大きさで印画紙に焼き付けることができる。
　【００１２】
　また、案内搬送手段が異なる幅寸法の写真フィルムを幅方向の中心位置である画像コマの中心位置を一致させて搬送する。この案内搬送手段による写真フィルムの搬送路上に所定のマスクを移動させて配置する。これと共に光学手段の露光倍率を変更することにより、幅寸法が異なり画像コマの大きさが異なる写真フィルムのそれぞれの画像を同じ大きさで印画紙へ焼付けることができる。
　【００１３】
　請求項２に記載の写真処理装置では、案内搬送手段が写真フィルムの幅方向の一端を一致させて搬送する。すなわち、幅寸法の異なる写真フィルムをエッジ（幅方向の一端）を基準として搬送する案内搬送手段を設けている。この案内搬送手段による写真フィルムの搬送路上にマスク部を移動させて写真フィルムの幅寸法に応じたマスクを配置するときには、写真フィルムの幅寸法に応じて画像コマの中心位置がずれるため、光学手段の倍率変更と共に、画像コマの中心位置のずれに合わせて光学手段の光軸をずらす。これによって、同じ大きさの画像を印画紙へ焼付けることができる。
　【００１４】
　このように、画像露光工程で、幅寸法の異なる写真フィルムの画像露光を行うときには、案内搬送手段の切り換えないしマスクの切り換えを行うと共に、それに合わせて光学手段による露光倍率の切り換えと共に光路又は光軸の切り換えを行う。これにより、幅寸法の異なる写真フィルムの画像を容易に同じ大きさで印画紙へ焼付けることができ、１台の写真処理装置によって異なる幅寸法の写真フィルムの処理が可能となる。
　【００１５】
　【実施例】
〔実施例１〕
　図１には、本発明の一実施例として適用した写真処理装置１０の概略構成の一部を示している。この写真処理装置１０は、露光済の写真フィルム（以下「ネガフィルム１２」と言う）を処理液によって現像処理するフィルム現像部１４、フィルム現像部１４で処理したネガフィルム１２に記録されている画像を図示しない印画紙へ焼き付ける画像露光部１６及び、図示は省略するが画像露光部１６で画像が焼付けられた印画紙を現像処理する印画紙現像部によって構成され、これらを図示しないケーシングに一体で収容している。
　【００１６】
　フィルム現像部１４には、現像液を貯留した現像槽２０、漂白液を貯留した漂白槽２２、それぞれに定着液を貯留した第１定着槽２４と第２定着槽２６、水洗水を貯留した水洗槽２８及び安定浴液を貯留している第１安定浴槽３０、第２安定浴槽３２がネガフィルム１２の搬送方向に沿って連続して設けられている。また、第２安定浴槽３２のネガフィルム１２搬送方向の下流側には、乾燥室３４が設けられ、乾燥室３４と画像露光部１６との間にリザーバ部３６が配置されている。
　【００１７】
　この写真処理装置１０では、フィルム現像部１４へネガフィルム１２が送り込まれると、図示しないローラ対によってこのネガフィルム１２を引き入れて処理を開始する。この写真処理装置１０のフィルム現像部１４では、ネガフィルム１２として幅寸法が３５ｍｍの一般的なネガフィルム１２Ａに加えて、ネガフィルム１２Ａより幅が狭いネガフィルム１２Ｂ（例えば１６ｍｍ幅の１１０フィルム）の処理も可能となっている。
　【００１８】
　なお、ネガフィルム１２Ａ、１２Ｂ（以下総称するときには「ネガフィルム１２」と言う）は、例えばパトローネ４４に収容されているものを、パトローネ４４から引出して、現像槽２０の上流側に設けたリザーバ部３８に一端貯留し、パトローネ４４から図示しないカッタによってパトローネ４４内から引き出したネガフィルム１２の後端を切離し、この切り離したネガフィルム１２の後端から現像槽２０内へ送り込むようにしてもよく、また、パトローネ４４から引き出したネガフィルム１２の先端から現像槽２０内へ送り込むようにしてもよい。
　【００１９】
　フィルム現像部１４では、ネガフィルム１２を図示しない多数のローラによって搬送しながら現像液、漂白液、定着液、水洗水及び安定浴液に順次浸漬して処理した後、乾燥室３４内で、図示しないファン、ヒータ等によって構成した乾燥風発生手段によって発生させた乾燥風をネガフィルム１２の表面に吹き付けて乾燥処理するようになっている。なお、ネガフィルム１２Ａ、１２Ｂは、それぞれ画像コマの大きさが異なるが、幅方向の中心と画像コマの中心とが一致するように画像コマが形成されており、フィルム現像部１４では、ネガフィルム１２Ａ、１２Ｂの幅方向の中心位置が一致するように搬送するようにしてもよく、幅方向の一端が一致するように搬送してもよい。
　【００２０】
　また、図２に示されるように、第２安定浴槽３２と乾燥室３４の間には、複数のスクイズローラ対５２（本実施例では一例として３対）を備えたスクイズ部５３が設けられており、第２安定浴液槽３２から送り出されたネガフィルム１２の表面に付着している水分をスクイズして乾燥室３４へ送り込むようになっている。
　【００２１】
　このスクイズローラ対５２を構成するローラの中には、少なくとも一つの吸水性ローラ５２Ａを設けている。この吸水性ローラ５２Ａを設ける位置は、いずれでも良いが、最下流側（乾燥室３４側）でネガフィルム１２の乳剤層側の面に接触する位置がより好ましい。このスクイズローラ対５２の中の吸水性ローラ５２Ａは、ネガフィルム１２の幅方向の端部に形成されたパーフォレーション１２Ｃに表面張力等によって水膜を形成するなどしてスクイズされずに残った水分を吸収し、ネガフィルム１２から除去する役目を有している。
　【００２２】
　乾燥処理の終了したネガフィルム１２は、乾燥室３４から送り出され、乾燥室３４と画像露光部１６との間に設けられたリザーバ部３６を経て、画像露光部１６へ送り込まれるようになっている。
　【００２３】
　一方、図３に示されるように画像露光部１６には、複数の搬送ローラ対５４（図３では一部のみ図示）が設けられており、リザーバ部３６から送り込まれたネガフィルム１２を挟持して、所定のタイミングで画像露光部１６内へ引き入れて搬送するようになっている。また、画像露光部１６には、ネガフィルム１２を所定の露光位置に配置して保持するネガキャリア５６、ネガキャリア５６へ向けて露光用の光を照射する光源部５８、光源部５８から照射されてネガキャリア５６に配置されたネガフィルム１２を透過した光を印画紙１８へ結像させる露光用光学系６０が配置されている。なお、印画紙１８は、図示しないマガジンにロール状に巻き取られて収容されているのを必要な長さだけ引出して、搬送ローラ対６２、６４によって所定の焼付け位置に挟持して保持されている。また、画像が露光された印画紙１８は、図示しない印画紙現像部へ送られて、現像処理が施され、写真プリントとして仕上げられる。
　【００２４】
　図４に示されるように、ネガキャリア５６には、中央部にネガマスク６６が配置されている。このネガマスク６６には、ネガフィルム１２Ａに対応する開口６８が上下に形成された第１マスク７０と、ネガフィルム１２Ｂに対応する開口７２が上下に形成された第２マスク７４が一体で設けられており、ネガフィルム１２の搬送方向と直交する方向に摺動させて、第１マスク７０又は第２マスク７４のいずれかをネガフィルム１２の搬送路上に配置することができるようになっている。
　【００２５】
　また、ネガキャリア５６には、ネガマスク６６を挟むように両側にネガ搬送路７６が形成されている。このネガ搬送路７６には、ネガフィルム１２Ａの幅方向の両端部を搬送方向に沿って案内する第１ガイド部７８と、第１ガイド部７８の内方でネガフィルム１２Ｂの幅方向の両端部を搬送方向に沿って案内する第２ガイド部８０とが設けられている。また、第２ガイド部８０には、ネガフィルム１２の搬送方向に沿って傾斜し、ネガフィルム１２Ａの幅方向の両端部を第２ガイド部８０の間から退避させるガイド斜面８２が形成されている。
　【００２６】
　また、ネガマスク６６の第１マスク７０には、第１マスク７０をネガキャリア５６のネガ搬送路７６の間に配置したときに、第２ガイド部８０から突出する第１ガイド部７８の間に露出するようにスリット状のネガ挿通口８４が形成されている。また、ネガマスク６６の第２マスク７４には、ネガキャリア５６の第２ガイド部８０の間で露出可能なスリット状のネガ挿通口８６が形成されている。
　【００２７】
　このため、ネガマスク６６の第１マスク７０をネガキャリア５６のネガ搬送路７６の間に配置した状態で、ネガフィルム１２Ａが送り込まれると、このネガフィルム１２Ａは、幅方向の両端部がガイド斜面８２に沿って移動し、第１ガイド部７８の間から第１マスク７０のネガ挿通口８４へ案内されて挿入される。これによって、ネガフィルム１２Ａの画像コマを開口６８の間に配置して位置決め可能となる。また、ネガマスク６６の第２マスク７４をネガ搬送路７６の間へ移動させた状態で、幅の狭いネガフィルム１２Ｂが送り込まれると、このネガフィルム１２Ｂが第２ガイド部８０の間からネガ挿通口８６へ送り込まれ、開口７２の間にネガフィルム１２Ｂに形成されている画像コマを位置決め可能となる。
　【００２８】
　一方、図３に示されるように、画像露光部１６に配置された光源部５８には、光源８８とフィルタ駆動機構９０が設けられており、光源８８から発した光がフィルタ駆動機構９０のＹ（イエロー）、Ｍ（マゼンタ）、Ｃ（シアン）の各色フィルタによって補正されて、ネガキャリア５６のネガマスク６６に配置したネガフィルム１２に照射されるようになっている。
　【００２９】
　また、露光用光学系６０には、シャッタ９２、結像レンズ９４等が設けられており、ネガキャリア５６の所定の位置に配置したネガフィルム１２を透過した光を搬送ローラ対６２、６４の間に引き出されて保持されている印画紙１８上にマスク９６の開口を通過させて結像させて、ネガフィルム１２に記録された画像を焼付けるようになっている。
　【００３０】
　ところで、この露光用光学系６０では、ネガキャリア５６のネガ搬送路７６の間に配置するネガマスク６６の第１マスク７０と第２マスク７４の切換が行われると、結像レンズ９４を移動させて、印画紙１８に結像する画像の倍率を変更するようになっている。このとき、光源部５８から印画紙１８までの光軸がずれないように結像レンズ９４が移動され、ネガフィルム１２Ａ、１２Ｂのそれぞれの異なる大きさの画像コマに記録されている画像を印画紙１８に同じ大きさで結像される。
　【００３１】
　なお、シャッタ９２とネガキャリア５６の間には、図示しないハーフミラー、画像濃度センサ等が設けられており、シャッタ９２を開いて画像の露光を行うのに先立ってネガフィルム１２の画像コマの画像濃度を測定して、露光時間、フィルタ駆動機構９０及び光源８８の輝度等の調整を行うようになっている。
　【００３２】
　次に本実施例の作用を説明する。
　写真処理装置１０では、ネガフィルム１２Ａの処理に先立って、画像露光部１６のネガキャリア５６のネガ搬送路７６の間にネガマスク６６の第１マスク７０を移動させて配置すると共に、所定の露光倍率となるように露光用光学系６０の結像レンズ９４を移動させる。この後、ネガフィルム１２Ａをフィルム現像部１４へ送り込んで、処理を開始する。
　【００３３】
　フィルム現像部１４では、送り込まれたネガフィルム１２Ａを挟持して引き入れて現像槽２０へ送り込み、ネガフィルム１２Ａを図示しない多数のローラによって現像槽２０から漂白槽２２、第１及び第２定着槽２４、２６内を搬送して、現像液、漂白液、定着液に浸漬して現像、漂白、定着処理を行い、水洗槽２８、第１及び第２安定浴槽３０、３２で水洗水、安定浴液に浸漬して水洗、安定浴処理を行う。
　【００３４】
　さらに、フィルム現像部１４では安定浴処理の終了したネガフィルム１２Ａをスクイズ部５３のスクイズローラ対５２によって挟持搬送して、表面に付着している水分を除去しながら乾燥室３４へ送り込み、乾燥室４２内で乾燥風を吹き付けて乾燥処理を行う。このとき、スクイズローラ対５２に吸水性ローラ５２Ａを用いているため、スクイズローラ対５２によってスクイズされずにネガフィルム１２Ａのパーフォレーション１２Ｃに水膜等を形成して残っている水分を吸収することができる。
　【００３５】
　このようなネガフィルム１２Ａのパーフォレーション１２Ｃに水膜を形成して残っている水分は、ネガフィルム１２Ａが乾燥室３４内で乾燥処理するときに、パーフォレーション１２Ｃの周囲の乾燥を遅らせたり、この水膜を除去するために、多量の乾燥風を必要として、乾燥風を発生させるためのヒータや乾燥ファンに大きな負荷をかけてしまう。
　【００３６】
　これに対して、本実施例の写真処理装置１０では、乾燥室３４へ挿入されるネガフィルム１２Ａのパーフォレーション１２Ｃに水膜として残っている水分を吸水性ローラ５２Ａによって吸い取っているため、パーフォレーション１２Ｃの周囲の乾燥を遅らせたり、水膜を除去するために乾燥風発生手段に必要以上の大きな負荷を掛けることなく、ネガフィルム１２Ａの乾燥を行うことができる。
　【００３７】
　また、吸水性ローラ５２Ａを最も乾燥室４２側に設けることにより、ネガフィルム１２Ａの非処理時には、乾燥室４２内の空気によって吸水性ローラ５２Ａからの水分の除去が可能となり、多量のネガフィルム１２Ａを処理しても、吸水性ローラ５２Ａの吸水性能を維持して効率的なネガフィルム１２Ａの乾燥処理を行うことができる。
　【００３８】
　乾燥処理の終了したネガフィルム１２Ａは、リザーバ部３６を経て画像露光部１６へ送り込まれ、先端部が搬送ローラ対６２に挟持されて、ネガキャリア５６へ搬送される。このとき、例えば、リザーバ部３６に画像露光部１６でのネガフィルム１２Ａの搬送を開始してもフィルム現像部１４内のネガフィルム１２Ａに影響を及ぼすことのない弛みが生じたタイミングでネガフィルム１２Ａの搬送を開始する。
　【００３９】
　ネガキャリア５６へ搬送されたネガフィルム１２Ａは、第１ガイド部７８及びガイド斜面８２に案内されて、ネガマスク６６の第１マスク７０に形成したネガ挿通口８４へ送り込まれる。ネガキャリア５６では、ネガ挿通口８４へ送り込まれたネガフィルム１２Ａの画像コマが開口６８の間となるようにしてネガフィルム１２Ａの搬送を停止してネガフィルム１２Ａを保持する。
　【００４０】
　この後、画像露光部１６では、光源部５８の光源８８からの光をネガフィルム１２Ａへ照射し、ネガフィルム１２Ａを透過して光を印画紙１８に所定の大きさで結像させて画像露光する。露光後、ネガフィルム１２Ａは搬送ローラ対５４によってそのフィルムサイズに応じた画像コマ分送られ、次の画像コマが第１マスク７０の開口６８の間に保持されて画像露光が行なわれる。
　【００４１】
　一方、この写真処理装置１０において、ネガフィルム１２Ａよりも幅寸法が狭いネガフィルム１２Ｂの処理を行うときには、画像露光部１６のネガキャリア５６のネガマスク６６を移動させてネガ搬送路７６の間の所定の位置に第２マスク７４を配置し、結像レンズ９４を移動させて露光用光学系６０の露光倍率をネガフィルム１２Ｂに合わせる。
　【００４２】
　フィルム現像部１４では、前記したネガフィルム１２Ａと同様にネガフィルム１２Ｂを搬送しながら処理液に浸漬して処理した後に乾燥処理して、リザーバ部３６を経て画像露光部１６へ送り込む。このとき、画像露光部１６では、現像処理の終了したネガフィルム１２Ｂがリザーバ部３６内に所定の長さ溜まったタイミングで搬送ローラ対５４によって引き入れ、ネガキャリア５６へ送り込む。
　【００４３】
　ネガキャリア５６へ送り込まれたネガフィルム１２Ｂは、第１ガイド部７８の間にネガフィルム１２Ｂの幅寸法に合わせて設けられた第２ガイド部８０の間を通過して、第２マスク７４のネガ挿通口８６へ挿入され、開口７２に画像コマが配置された位置で搬送が停止されて保持される。
　【００４４】
　ここで、ネガフィルム１２Ｂに記録されている画像に応じて印画紙１８を露光するが、このとき、露光用光学系６０は、ネガフィルム１２Ｂの画像コマの大きさに合わせて露光倍率が変更されているため、印画紙１８には、ネガフィルム１２Ａの画像を露光したときと同じ大きさで画像露光される。
　【００４５】
　このように、ネガフィルム１２の幅寸法に合わせて第１マスク７０又は第２マスク７４を所定の位置へ移動させて、ネガフィルム１２の画像を印画紙１８へ結像させる露光用光学系６０の倍率を変更することにより、写真処理装置１０により幅寸法の異なる複数のネガフィルム１２の現像から露光処理及び画像露光された印画紙１８の現像処理が可能となる。
　【００４６】
〔実施例２〕
　次に図５及び図６を参照しながら、本発明の実施例２を説明する。なお、実施例２においては、基本的な構成は実施例１と同一であり、同一の部品には同一の番号を付与してその説明を省略する。
　【００４７】
　図５に示されるように、画像露光部１６に代えて設けた画像露光部１６Ａ内のネガキャリア１００には、開口６８が形成された第１マスク１０２と開口７２が形成された第２マスク１０４を備えたネガマスク１０６が設けられている。図６に示されるように、このネガキャリア１００の近傍には、複数の搬送ローラ１０８によってリザーバ部３６から第１マスク１０２を通過するネガフィルム１２Ｂのネガ搬送路１１０が構成され、複数の搬送ローラ１１２によって第２マスク１０４を通過するネガフィルム１２Ｂのネガ搬送路１１４が構成されている。また、リザーバ部３６を経てフィルム現像部１４からネガフィルム１２が送り込まれる搬送ローラ対５４は、ネガ搬送路１１０上とネガ搬送路１１４上の間を移動可能となっている。
　【００４８】
　通常、搬送ローラ対５４は、ネガ搬送路１１０上に位置してリザーバ部３６側から送り込まれるネガフィルム１２の先端部を挟持する。ここで、ネガフィルム１２Ｂが設定され、現像処理の終了したネガフィルム１２Ｂが送り込まれると、搬送ローラ対５４は、このネガフィルム１２Ｂの先端を挟持し、ネガ搬送路１１４側へ平行移動した後に、ネガフィルム１２Ｂの搬送を開始してネガフィルム１２Ｂを第２マスク１０４へ送り込む。
　【００４９】
　図５に示されように、画像露光部１６Ａには、ネガキャリア１００を挟んで光源部１１６と露光用光学系１１８が配置されている。光源部１１６は、内部に光源８８及び反射ミラー１２２が設けられた光拡散筒１２０を備えている。この光拡散筒１２０には、第１マスク１０２、第２マスク１０４のそれぞれに向けて光源８８からの光を射出する射出口１２０Ａ、１２０Ｂが形成されており、反射ミラー１２２の突出（図５に実線で示す）により光源８８からの光を第１マスク１０２へ向けて射出し、反射ミラー１２２の退避（図５で二点鎖線で示す）により第２マスク１０４へ向けて光を射出することができるようになっている。
　【００５０】
　一方、露光用光学系１１８には、結像レンズ９４、対で移動する反射ミラー１２４、１２６が設けられており、第１マスク１０２に配置したネガフィルム１２Ａの画像に応じて印画紙１８を露光するときは、反射ミラー１２４を退避（図に実線で示す位置）させて、光拡散筒１２０の射出口１２０Ａから照射されネガフィルム１２Ａを透過した光を結像レンズ９４によって所定の倍率で印画紙１８に結像させるようになっている。また、第２マスク１０４に配置したネガフィルム１２Ｂの画像に応じて印画紙１８を露光するときには、反射ミラー対１２４、１２６及び結像レンズ９４が所定の位置に移動（図５で二点鎖線で示す）し、光拡散筒１２０の射出口１２０Ｂから照射されネガフィルム１２Ｂを透過した光を反射ミラー１２６、１２４で結像レンズ９４へ向けて反射させ、結像レンズ９４によってネガフィルム１２Ａからの写真プリントと同じ大きさとなるように印画紙１８へ結像させるようになっている。
　【００５１】
　このように構成した画像露光装置１６Ａでは、ネガフィルム１２Ａの処理が設定されると、光拡散筒１２０内で反射ミラー１２２を突出させると共に、結像レンズ９４を所定の位置に移動させ、反射ミラー１２４を退避させる。
　【００５２】
　また、ネガフィルム１２Ｂの処理が設定されると、画像露光部１６Ａでは、光拡散筒１２０内の反射ミラー１２２を退避させると共に、結像レンズ９４、反射ミラー１２４、１２６を所定の位置へ移動させる。この状態で、搬送ローラ対５４が、リザーバ部３６を通過して現像処理の終了したネガフィルム１２Ｂが画像露光部１６Ａ内に送り込まれと、搬送ローラ対５４がネガフィルム１２Ａの先端部を挟持してネガ搬送路１１４上へ移動して、所定のタイミングで搬送を開始する。これによって、ネガフィルム１２Ｂが、第２マスク１０４へ送り込まれ、ネガフィルム１２Ｂに記録された画像の露光が行われる。
　【００５３】
　ここで、搬送ローラ対５４を移動させることにより、フィルム現像部１４から画像露光部１６Ａの間でのネガフィルム１２Ｂの搬送路がずれることになるが、リザーバ部３６では、ネガフィルム１２Ｂを弛ませているため、このリザーバ部３６で搬送路のずれを吸収させることができ、無理にネガフィルム１２Ｂが曲げられてたりして損傷してしまうことがない。なお、この搬送路のずれの吸収は画像露光部１６Ａ内で行うようにしてもよい。
　【００５４】
　このように、処理するネガフィルム１２の幅寸法に応じて画像露光部１６Ａでの搬送路を変更すると共に、光源部１１６、露光用光学系１１８を切り換えて光路及び露光倍率を変更することにより、ネガフィルム１２の幅寸法の相違に拘らず同じ大きさの画像を印画紙１８に露光することができる。
　【００５５】
〔実施例３〕
　次に、図７及び図８を参照しながら、本発明の実施例３を説明する。なお、この実施例３においても、実施例２と同様に基本的な構成は実施例１と同じであり、実施例１又は実施例２と同一の部品には同一の符号を付与してその説明を省略している。
　【００５６】
　図７及び図８に示されるように、画像露光部１６（１６Ａ）に代えて設けた画像露光部１６Ｂ内には、図示しないネガキャリア上に、ネガマスク１０６が配置されている。図８に示されるように、このネガマスク１０６は、ネガフィルム１２の搬送方向と交差する方向に沿って移動して、第１マスク１０２又は第２マスク１０４を複数の搬送ローラ対５４によって構成されるネガ搬送路１２８上の所定の位置に配置することができ、ネガ挿通口８４又はネガ挿通口８６にネガフィルム１２Ａ、１２Ｂが挿入可能となっている。
　【００５７】
　搬送ローラ対５４のリザーバ部３６側には、ガイドローラ１３０が配置され、リザーバ部３６から送り込まれたネガフィルム１２の先端部は、ガイドローラ１３０の上方を案内されて搬送ローラ対５４に挟持されるようになっている。
　【００５８】
　搬送ローラ対５４とガイドローラ１３０との間には、固定ガイド１３２及び可動ガイド１３４がネガフィルム１２の搬送幅方向に沿って対で配置されている。可動ガイド１３４は、コイルバネ１３６を介してベース板１３８に連結されており、コイルバネ１３６によって固定ガイド１３２に接近する方向へ付勢されている。
　【００５９】
　このため、リザーバ部３６から送り込まれたネガフィルム１２は、幅寸法に拘らず幅方向の一端側が固定ガイド１３２に当接した状態で搬送される。すなわち、実施例３では、実施例１及び実施例２でネガフィルム１２の幅方向の中心を基準として搬送しているのに対して、幅方向の一端側を基準として搬送して、それぞれのネガフィルム１２Ａ、１２Ｂの画像コマを位置決めするようにしている。このため、ネガマスク１０６は、第１及び第２マスク１０２、１０４のネガ挿通口８４、８６の幅方向の一端側が固定ガイド１３２に沿った同じ位置となるように移動される。
　【００６０】
　このとき、リザーバ部３６では、例えば図８に示すネガフィルム１２Ｂ（二点鎖線で示す）のように、搬送路がずれるときには、ガイドローラ１３０の周面をガイドローラ１３０の軸線方向に沿って移動しながら案内されると共に、搬送路のずれをリザーバ部３６から固定ガイド１３２と可動ガイド１３４の間までで吸収することができるようになっている。
　【００６１】
　図７には、実施例３に適用した露光用光学系１４０の概略を示しており、この露光用光学系１４０では、幅寸法の異なるネガフィルム１２Ａ、１２Ｂをそれぞれ幅方向の一端を基準にして露光位置に配置するために、露光位置に配置されたネガフィルム１２Ａ、１２Ｂの画像コマの中心位置（幅方向の中心）のずれに対して、画像コマの中心位置と、この画像コマに記録された画像が露光される印画紙の中心位置とを結ぶ線上に結像レンズ９４の中心が位置するように、結像レンズ９４を移動させるようになっている。
　【００６２】
　すなわち、露光用光学系１４０は、ネガフィルム１２Ａの画像露光を行うときには、光軸１４２となるように結像レンズ９４を配置し、ネガフィルム１２Ｂの画像露光を行うときには、光軸１４２に対して所定の角度傾斜した光軸１４４となるように結像レンズ９４を移動させる。このとき、ネガフィルム１２Ａとネガフィルム１２Ｂの画像も同じ大きさとなるように露光倍率も変更するようにしている。
　【００６３】
このように構成された画像露光部１６Ｂにおいても、幅寸法の異なるネガフィルム１２Ａ、１２Ｂのいずれの画像であっても、印画紙１８上に同じ大きさに露光することができる。
　【００６４】
　すなわち、幅寸法の異なる複数のネガフィルム１２の露光処理を行うときには、幅寸法に合わせて設けたマスクへネガフィルム１２を搬送するようにすると共に、ネガフィルム１２に記録された画像を印画紙１８へ露光するための光学手段を切り換え、露光倍率と共に、必要に応じて光路、光軸を変更する。これによって、１台の写真処理装置１０で、異なる幅寸法のネガフィルム１２の処理を行うことができる。
　【００６５】
　なお、実施例１乃至実施例３では、結像レンズ９４の移動機構、ネガマスク５６、１０６の移動機構、搬送ローラ対５４の移動機構についての説明を省略したが、これらの移動機構は、ネガフィルム１２の幅寸法によって画像コマの大きさ、倍率、基準となる位置に対する画像コマの位置がそれぞれ決まっているため、２種類のネガフィルム１２Ａ、１２Ｂを処理するためには、機械的に２位置の間を移動させる一般的な機構を適用したものでよい。
　【００６６】
　また、本実施例では、ネガフィルム１２と印画紙１８をそれぞれ所定の露光位置に保持して露光処理を行うように説明したが、これに限らず、ネガフィルム１２と印画紙１８を露光倍率に応じた相対速度で移動させてスリット露光を行うものであってもよく、また、ネガフィルム１２に記録されている画像をＣＣＤ等の撮像手段によって読み込んで、読み込んだ画像に応じたレーザ光等を印画紙１８へ照射して露光するデジタル露光を行うものなど種々の画像露光方法を適用することができる。
　【００６７】
　なお、本実施例では、３５ｍｍ幅と１６ｍｍ幅の２種類のネガフィルム１２Ａ、１２Ｂを処理するものとして説明したが、本発明を適用した写真処理装置は、２種類以上の異なる幅寸法の写真フィルムの処理に適用することが可能であり、処理するネガフィルムの幅寸法を限定するものではない。
　【００６８】
　例えば、実開平４−１０９７５８号公報に示されるように、幅寸法が２０〜３０ｍｍの写真フィルムの処理に適用が可能であるように設定することもできる。また、写真フィルムとしては、ネガ型であってもよくポジ型であってもよく、例えば、特許出願公表平４−５０２５１８号に記載される如き種々の情報が記録された写真フィルムの処理に適用してもよい。
　【００６９】
　【発明の効果】
　以上説明した如く、本発明の写真処理装置では、異なる幅寸法の写真フィルムのそれぞれをフィルム現像工程で現像処理した後、写真フィルムの幅寸法に応じて設けたマスクへ写真フィルムを案内搬送すると共に、光学手段を写真フィルムの幅寸法に応じて切り換えて画像露光を行う。これによって、単一の写真処理装置によって幅寸法の異なる複数種の写真フィルムの処理を行うことができる優れた効果が得られる。
【図面の簡単な説明】
　【図１】
　本実施例に適用した写真処理装置の要部概略構成図である。
　【図２】
　写真処理装置のスクイズ部の概略構成図である。
　【図３】
　実施例１に適用した露光用光学系の概略構成図である。
　【図４】
　実施例１に適用した画像露光部に設けたフィルムキャリアの要部斜視図である。
　【図５】
　実施例２に適用した露光用光学系の概略構成図である。
　【図６】
　実施例２に適用した画像露光部内のネガフィルムの搬送路の概略構成図である。
　【図７】
　実施例３に適用した露光用光学系の概略構成図である。
　【図８】
　実施例３に適用した画像露光部内のネガフィルムの搬送路の概略構成図である。
　【符号の説明】
　１０　写真処理装置
　１２、１２Ａ、１２Ｂ　ネガフィルム（写真フィルム）
　１４　フィルム現像部
　１６、１６Ａ、１６Ｂ　画像露光部
　１８　印画紙
　５６　ネガキャリア
　５８、１１６　光源部（光学手段）
　６０、１１８、１４０　露光用光学系（光学手段）
　６６　ネガマスク
　７０、１０２　第１マスク
　７４、１０４　第２マスク
　１２０　光拡散筒（光学手段）
　１２４、１２６　反射ミラー（光学手段）